(57)【要約】【課題】シール部品などの漏れ防止策を用いずに注入アダプタの緩みによる揮発性麻酔薬の漏れを防ぎ、かつ複数種類の麻酔薬タンクにおける変更部品を簡略化した麻酔薬タンクおよび麻酔薬誤注入防止システムを提供する。【解決手段】麻酔薬タンク７は、麻酔薬容器の注入アダプタが挿入される挿入口７１と、挿入口７１に連通した貯留部７２とを備え、麻酔薬容器内の揮発性麻酔薬は貯留部７２に注入される。挿入口７１の外側には、挿入口７１の中心軸周りで回動自在な識別部材３３が配設されていて、識別部材３３の注入アダプタが挿入可能な挿入孔３３ｈの内面には、注入アダプタに設けられたキーと連携して揮発性麻酔薬の種類を識別するキー溝が設けられている。識別部材３３は、挿入口７１および挿入孔３３ｈに対面する開口８２が設けられた蓋部材８によって外周部が押さえられる。【選択図】図１２
2018139953.tif 000002
【特許請求の範囲】
【請求項１】
麻酔薬容器の口部に装着された注入アダプタが挿入される挿入口と、前記挿入口に連通した貯留部とを備え、前記麻酔薬容器内の揮発性麻酔薬が、前記挿入口に挿入された前記注入アダプタから前記貯留部に注入される麻酔薬タンクであって、
前記挿入口の外側に配設されて前記挿入口の中心軸周りで回動自在とされ、前記挿入口に対向する位置に前記注入アダプタが挿入可能な挿入孔が設けられ、前記挿入孔の内面に、前記注入アダプタに設けられた第２の識別部と連携して、注入される前記揮発性麻酔薬の種類を識別する第１の識別部が設けられた円板状の識別部材と、
前記挿入口および前記挿入孔に対向する位置に前記注入アダプタが挿入可能な開口が設けられ、前記識別部材の上から前記識別部材の外周部を押さえる蓋部材と、
を備え、
前記識別部材は、
前記第１の識別部に適合する前記第２の識別部を備えた前記注入アダプタが前記挿入孔に挿入され、前記第１の識別部が前記第２の識別部によって押圧された場合に、この押圧に応じて前記第１の識別部が前記第２の識別部に合う位置まで回動して、前記注入アダプタを受け入れ、
前記第１の識別部に適合しない前記第２の識別部を備えた前記注入アダプタが前記挿入孔に挿入された場合に、前記第１の識別部により前記第２の識別部が挿入される空間を塞いで前記注入アダプタの挿入を阻止する、
ことを特徴とする麻酔薬タンク。
【請求項２】
前記麻酔薬タンクは揮発性麻酔薬の種類に応じて複数種類あり、各麻酔薬タンクは前記識別部材のみが異なる、
ことを特徴とする請求項１に記載の麻酔薬タンク。
【請求項３】
麻酔薬容器の口部に装着される注入アダプタと、請求項１または２に記載の前記麻酔薬タンクと、を備える麻酔薬誤注入防止システムであって、
前記注入アダプタは、
前記挿入口に挿入される挿入部の外周面に、前記第１の識別部と連携して前記麻酔薬タンクに注入される前記揮発性麻酔薬の種類を識別する前記第２の識別部を備える、
ことを特徴とする麻酔薬誤注入防止システム。
【請求項４】
前記第１の識別部と前記第２の識別部のいずれか一方は、前記揮発性麻酔薬の種類を幅、配置もしくは配置数の少なくともいずれか１つによって表すキーであり、他方は、前記キーに適合するキー溝である、
ことを特徴とする請求項３に記載の麻酔薬誤注入防止システム。
【請求項５】
前記キーには、前記識別部材を前記挿入口の中心軸周りで第１の方向に回動させる第１の斜面と、前記識別部材を前記第１の方向と反対側の第２の方向に回動させる第２の斜面とが設けられている、
ことを特徴とする請求項４に記載の麻酔薬誤注入防止システム。
【請求項６】
前記キーおよびキー溝は、前記挿入部または前記挿入口の中心軸周りに複数個が等間隔で配置されている、
ことを特徴とする請求項４または５に記載の麻酔薬誤注入防止システム。
【発明の詳細な説明】
【技術分野】
【０００１】
本発明は、液状の揮発性麻酔薬が注入される麻酔薬タンクと、この麻酔薬タンクへの揮発性麻酔薬の誤注入を防ぐ麻酔薬誤注入防止システムとに関する。
【背景技術】
【０００２】
患者に麻酔をかけるための麻酔システムは、揮発性麻酔薬を気化し、気化した麻酔ガスの濃度調整を行うための麻酔薬気化器と、この麻酔薬気化器に麻酔薬を供給する麻酔薬タンクとを備える。麻酔薬タンクは、麻酔薬気化器に組み込まれ、あるいは麻酔薬気化器とは別体とされて配管で接続される。このような麻酔薬タンクは、ボトル状の麻酔薬容器から揮発性麻酔薬を注入するための麻酔薬注入部を備える。この麻酔薬注入部には、麻酔薬タンクに連通された略円筒形の挿入口が設けられている。また、麻酔薬容器には、口部の外周に口ネジが設けられており、この口ネジを利用して注入アダプタが取り付けられる。注入アダプタは、麻酔薬注入部の挿入口に挿入される略円筒形状の挿入部を備える。揮発性麻酔薬は、注入部に注入アダプタを挿入することにより、麻酔薬容器から注入アダプタおよび注入部を通って麻酔薬タンクに注入される。
【０００３】
麻酔薬には、例えば、セボフルラン、イソフルラン、エンフルラン、ハロタンなど複数の種類があり、それぞれ、沸点、飽和蒸気圧、ＭＡＣ（Ｍｉｎｉｍｕｎ  Ａｌｖｅｏｌａｒ  Ｃｏｎｃｅｎｔｒａｔｉｏｎ：最小肺胞内濃度）等の特性が異なっているため、正確な濃度を得るにはそれぞれの揮発性麻酔薬の種類ごとに対応した専用の麻酔薬気化器が必要となる（例えば、非特許文献１参照）。そのため、医療施設では、麻酔薬タンクに違う種類の揮発性麻酔薬が注入されないように運用している。また、このような運用を適切に行えるようにするために、注入アダプタと麻酔薬気化器とを揮発性麻酔薬の種類ごとに対応付けておき、麻酔薬気化器に適合しない揮発性麻酔薬が注入されるのを防ぐ麻酔薬誤注入防止システムが発明されている（例えば、特許文献１〜特許文献４参照）。
【０００４】
特許文献１の麻酔薬誤注入防止システムは、注入アダプタの挿入部に揮発性麻酔薬の種類を幅と配置間隔とによって表すキーを設け、麻酔薬注入部の挿入口には、注入アダプタのキーに適合する幅と配置間隔とを有するキー溝を設けている。これにより、挿入部のキーが挿入口のキー溝に適合した場合に、挿入部が挿入口に挿入可能となるので、揮発性麻酔薬の誤注入を防止することができる。
【０００５】
特許文献２の麻酔薬誤注入防止システムは、注入アダプタの挿入部の外周面に揮発性麻酔薬の種類を角数によって表す多角形のキーを設け、挿入部の先端には、多角形キーの角数と同数の櫛歯状のキー溝を設けている。そして、麻酔薬注入部の挿入口には、注入アダプタの多角形キーに適合する多角形のキー穴と、櫛歯状キー溝に適合する櫛歯状のキーとを設けている。これにより、挿入部の多角形キーおよび櫛歯状キー溝が、挿入口の多角形キー穴および櫛歯状キーに適合した場合に、挿入部が挿入口に挿入可能となるので、揮発性麻酔薬の誤注入を防止することができる。
【０００６】
特許文献３の麻酔薬誤注入防止システムは、注入アダプタの挿入部に、挿入部の中心軸周りで回転自在とされた円筒部材を設け、この円筒部材の外周面に揮発性麻酔薬の種類を配置数と配置間隔とによって表すキーを設けている。そして、麻酔薬注入部の挿入口には、注入アダプタのキーに適合するキー溝を設けている。これにより、挿入部のキーが挿入口のキー溝に適合した場合に、挿入部が挿入口に挿入可能となるので、揮発性麻酔薬の誤注入を防止することができる。
【０００７】
特許文献４の麻酔薬誤注入防止システムは、特許文献２と同様な構成を備える注入アダプタおよび麻酔薬注入部からなり、注入アダプタの多角形キーと櫛歯状のキー溝とが設けられた挿入部を、注入アダプタに対してその挿入軸周りで回動自在にしている。また、麻酔薬注入部の多角形のキー穴と櫛歯状のキーとを備える挿入口を円筒状のスタブ（（ｆｉｌｅｒ  ｃｏｎｎｅｃｔｉｏｎ  ｓｔｕｂ）内に設け、このスタブを麻酔薬注入部に対してその挿入軸周りで回動自在にしている。そして、注入アダプタと麻酔薬注入部との間の接続領域に、多角形キーと多角形キー穴とを位置合わせ（センタリング）するための挿入補助部を設けている。
【０００８】
特許文献１および特許文献２の麻酔薬誤注入防止システムによれば、注入アダプタを麻酔薬注入部に挿入する際に、キーとキー溝の位置を目視や触感によって確認して挿入しなければならないので、注入作業が煩雑になってしまう。また、麻酔薬注入部のキー溝に注入アダプタのキーを合わせるために麻酔薬容器を回転させると、注入アダプタの取り付けが緩んで麻酔薬容器から揮発性麻酔薬が漏れてしまうことがある。
【０００９】
また、特許文献３の麻酔薬誤注入防止システムは、注入アダプタの円筒部材を回転させてキーをキー溝に合わせることができるので、注入アダプタの取り付けが緩んで揮発性麻酔薬が漏れることはない。しかし、注入アダプタの先端の小さな円筒部材を、キーとキー溝とが一致するように回転させなければならないので、注入作業の煩雑さは解消できない。
【００１０】
これに対し、特許文献４の麻酔薬誤注入防止システムは、注入アダプタの挿入部を麻酔薬注入部の挿入口に挿入すると、挿入補助具によって両者の多角形キーと多角形キー穴とが一致するように挿入口およびスタブが回動するので、キーおよびキー穴の位置を合わせる作業の煩雑さがなく、注入アダプタの取り付けが緩んで揮発性麻酔薬が漏れることもない。
【先行技術文献】
【特許文献】
【００１１】
【特許文献１】米国特許第６９２９０４１号
【特許文献２】米国特許第７２８７５６１号
【特許文献３】米国公開特許２００８／０３０８１７９号
【特許文献４】独国特許出願公開１０２００５０３７９２４号明細書
【非特許文献】
【００１２】
【非特許文献１】道野朋洋、土肥修司、「特集：全身麻酔器の現状と展望  気化器」、医療機器学、日本医療機器学会、2005年、Vol.75、 No.8
【発明の概要】
【発明が解決しようとする課題】
【００１３】
しかしながら、特許文献４の注入アダプタおよび麻酔薬注入部は、従来一体に設けられていた挿入部およびスタブを別部品にして回動自在にしているので構造が複雑であり、故障が発生する可能性が高くなるので、安全性の低下に懸念がある。また、挿入部およびスタブからの揮発性麻酔薬の漏れを防ぐために、Ｏリングなどのシール部品を利用しているが、このようなシール部品は耐久性が低いので、劣化によって麻酔薬が漏れる可能性がある。回動部分の結合精度を高めればシール部品を使用しなくても麻酔薬の漏れを防ぐことは可能であるが、高精度な加工が必要になるので、注入アダプタや、麻酔薬注入部が設けられた麻酔薬気化器、麻酔薬タンクなどを従来程度の価格に押さえることはできない。
【００１４】
また、麻酔薬気化器および麻酔薬タンクは、揮発性麻酔薬の種類ごとに製造する必要があることから、できるだけ部品を共通化するとともに、揮発性麻酔薬の種類に応じて変更される部品が簡単に変更可能なものであることが望ましい。しかしながら、特許文献４の麻酔薬注入部は、揮発性麻酔薬の種類に応じてスタブ全体を交換しなければならず、このスタブは回動時の麻酔薬の漏れを防ぐためにシール性が必要なことから、簡単に変更可能な部品とは言い難い。
【００１５】
本発明は、上記課題を解決するために、シール部品などの漏れ防止策を用いずに注入アダプタの緩みによる揮発性麻酔薬の漏れを防ぎ、かつ複数種類の麻酔薬タンクにおける変更部品を簡略化した麻酔薬タンクおよび麻酔薬誤注入防止システムを提供することを目的とする。
【課題を解決するための手段】
【００１６】
上記課題を解決するために、請求項１に記載の発明は、麻酔薬容器の口部に装着された注入アダプタが挿入される挿入口と、前記挿入口に連通した貯留部とを備え、前記麻酔薬容器内の揮発性麻酔薬が、前記挿入口に挿入された前記注入アダプタから前記貯留部に注入される麻酔薬タンクであって、前記挿入口の外側に配設されて前記挿入口の中心軸周りで回動自在とされ、前記挿入口に対向する位置に前記注入アダプタが挿入可能な挿入孔が設けられ、前記挿入孔の内面に前記注入アダプタに設けられた第２の識別部と連携して、注入される前記揮発性麻酔薬の種類を識別する第１の識別部が設けられた円板状の識別部材と、前記挿入口および前記挿入孔に対向する位置に前記注入アダプタが挿入可能な開口が設けられ、前記識別部材の上から前記識別部材の外周部を押さえる蓋部材と、を備え、前記識別部材は、前記第１の識別部に適合する前記第２の識別部を備えた前記注入アダプタが前記挿入孔に挿入され、前記第１の識別部が前記第２の識別部によって押圧された場合に、この押圧に応じて前記第１の識別部が前記第２の識別部に合う位置まで回動して、前記注入アダプタを受け入れ、前記第１の識別部に適合しない前記第２の識別部を備えた前記注入アダプタが前記挿入孔に挿入された場合に、前記第１の識別部により前記第２の識別部が挿入される空間を塞いで前記注入アダプタの挿入を阻止する、ことを特徴とする。
【００１７】
請求項２に記載の発明は、請求項１に記載の麻酔薬タンクにおいて、前記麻酔薬タンクは揮発性麻酔薬の種類に応じて複数種類あり、各麻酔薬タンクは前記識別部材のみが異なる、ことを特徴とする。
【００１８】
請求項３に記載の発明は、麻酔薬容器の口部に装着される注入アダプタと、請求項１または２に記載の前記麻酔薬タンクと、を備える麻酔薬誤注入防止システムであって、前記注入アダプタは、前記挿入口に挿入される挿入部の外周面に、前記第１の識別部と連携して前記麻酔薬タンクに注入される前記揮発性麻酔薬の種類を識別する前記第２の識別部を備える、ことを特徴とする。
【００１９】
請求項１および請求項３の発明によれば、注入アダプタの挿入部を麻酔薬タンクの挿入口に挿入した場合に、挿入口の外側に挿入口の中心軸周りで回動自在となるように配設された識別部材と、注入アダプタの挿入部とが当接する。識別部材は、第１の識別部に適合する第２の識別部を備えた注入アダプタが挿入孔に挿入され、第１の識別部が第２の識別部によって押圧された場合に、この押圧に応じて第１の識別部が第２の識別部に合う位置まで回動して、注入アダプタを受け入れる。また、識別部材は、第１の識別部に適合しない第２の識別部を備えた注入アダプタが挿入孔に挿入された場合に、第１の識別部により第２の識別部が挿入される空間を塞いで注入アダプタの挿入を阻止する。
【００２０】
請求項４に記載の発明は、請求項３に記載の麻酔薬誤注入防止システムにおいて、第１の識別部と第２の識別部のいずれか一方は、揮発性麻酔薬の種類を幅、配置もしくは配置数の少なくともいずれか１つによって表すキーであり、他方は、キーに適合するキー溝であることを特徴とする。
【００２１】
請求項５に記載の発明は、請求項４に記載の麻酔薬誤注入防止システムにおいて、前記キーの端面に、前記識別部材を前記挿入口の中心軸周りで第１の方向に回転させる第１の斜面と、前記識別部材を第１の方向と反対側の第２の方向に回転させる第２の斜面とを含むことを特徴とする。
【００２２】
請求項６に記載の発明は、請求項４または５に記載の麻酔薬誤注入防止システムにおいて、キーおよびキー溝は、挿入部または挿入口の中心軸周りに複数個が等間隔で配置されていることを特徴とする。
【発明の効果】
【００２３】
請求項１および請求項３の発明によれば、注入アダプタの挿入部を挿入口に挿入した場合に、挿入口の外側に挿入口の中心軸周りで回動自在となるように配設された識別部材と、注入アダプタの挿入部とが当接し、第１の識別部が挿入部の第２の識別部に押されて識別部材が回転するので、麻酔薬容器を回転させなくても挿入部を挿入口に挿入することができる。これにより、注入アダプタの取り付けが緩むこともなくなるので、揮発性麻酔薬の漏れを防止することができる。また、注入アダプタを麻酔薬タンクの挿入口に挿入する際に、挿入部の第２の識別部と挿入口の第１の識別部とを位置合わせする必要がないので、揮発性麻酔薬の注入作業が簡単になる。
【００２４】
また、識別部材は、挿入口の外側に配設されており、この識別部材からの揮発性麻酔薬の漏れは発生しないので、Ｏリングなどのシール部品や、漏れの発生しない高精度な加工などを省略することが可能である。さらに、識別部材は、挿入口の外側に配設して蓋部材で押さえているだけなので、交換が簡単である。そのため、請求項２に記載の発明のように、麻酔薬タンクが揮発性麻酔薬の種類に応じて複数種類ある場合であっても、各麻酔薬タンクでは識別部材のみを変更することで対応が可能となる。したがって、複数種類の麻酔薬タンクを、非常にローコストかつ簡単に作ることができる。
【００２５】
請求項４に記載の発明によれば、第１の識別部と第２の識別部のいずれか一方をキーとし、他方をキー溝としたので、挿入部および挿入口の形状などの各種条件に応じてキーとキー溝とをどちらに設けるかを任意に選択することができる。したがって、注入アダプタおよび麻酔薬タンクの設計自由度が向上し、より注入作業がしやすい麻酔薬誤注入防止システムを提供することができる。
【００２６】
請求項５に記載の発明によれば、第１の方向に回転させる第１の斜面と、第２の方向に回転させる第２の斜面とを設けたので、１方向だけの斜面に沿って回転する場合に比べて識別部材の回転量が少なくなる。したがって、識別部材の回転による第１の識別部と第２の識別部との位置合わせが短時間で行なわれるようになるので、注入作業が迅速に行なえるようになる。
【００２７】
請求項６に記載の発明によれば、キーおよびキー溝は、挿入部または挿入口の中心軸周りに複数個を等間隔で配置するようにしたので、注入アダプタの第２の識別部がどのような位置で麻酔薬タンクの挿入口に挿入された場合でも、識別部材の位置合わせが迅速に行なわれるようになる。
【図面の簡単な説明】
【００２８】
【図１】本発明の実施の形態１に係る麻酔薬誤注入防止システムの構成を示す斜視図である。
【図２】図１の誤注入防止部の外観斜視図である。
【図３】図１の誤注入防止部の構成を示す断面図である。
【図４】図１の注入アダプタの外観斜視図である。
【図５】図１の注入アダプタの平面図である。
【図６】図１の注入アダプタの構成を示す断面図である。
【図７】図１の注入アダプタの挿入部を誤注入防止部の挿入口に挿入した状態を示す断面図である。
【図８】図１の注入アダプタおよび識別部材の他の例を示す平面図である。
【図９】図１の注入アダプタの挿入部と識別部材の挿入関係を示す斜視図である。
【図１０】本発明の実施の形態２に係る注入アダプタおよび識別部材の平面図である。
【図１１】キーおよびキー溝を１つにした場合の注入アダプタおよび識別部材の平面図である。
【図１２】本発明の実施の形態３に係る麻酔薬タンクの構成を示す斜視図である。
【発明を実施するための形態】
【００２９】
（実施の形態１）
以下、この発明を図示の実施の形態に基づいて説明する。
【００３０】
図１は、本実施の形態の麻酔薬誤注入防止システム１を示す斜視図である。麻酔薬誤注入防止システム１は、麻酔薬気化器（図示せず）に設けられた麻酔薬タンク２と、麻酔薬容器４の口部４１に取り付けられた注入アダプタ５とから構成されている。麻酔薬気化器は、貯留部２１に貯留した揮発性麻酔薬６を気化し、気化した麻酔ガスの濃度調整を行うための装置であり、患者に麻酔をかけるために用いられる麻酔システムに組み込まれる。すなわち、本実施の形態は、麻酔薬気化器に内蔵した麻酔薬タンク２に関する。
【００３１】
麻酔薬タンク２には、貯留部２１に連通された円形の挿入口３１が設けられている。この挿入口３１は、麻酔薬の誤注入、すなわち麻酔薬タンク２に対応しない揮発性麻酔薬６が注入されるのを防止する誤注入防止部３に設けられている。誤注入防止部３は、略円筒形状であり、麻酔薬タンク２の外面から一部が突出されている。麻酔薬容器４には、口部４１の外周に口ネジ４１１（図４参照）が設けられており、この口ネジ４１１を利用して注入アダプタ５が取り付けられている。注入アダプタ５は、麻酔薬タンク２の挿入口３１に挿入される略円筒形状の挿入部５１を備えている。麻酔薬容器４内の揮発性麻酔薬６は、挿入口３１に挿入部５１が挿入された場合に、挿入口３１を介して麻酔薬容器４から貯留部２１に注入される。
【００３２】
図２は、挿入口３１が設けられた誤注入防止部３の外観形状を示す斜視図、図３は、誤注入防止部３の構成を示す断面図である。誤注入防止部３は、挿入口３１が設けられた略円筒形状の本体部３２と、本体部３２内に収容された識別部材３３とを備える。
【００３３】
本体部３２は、円筒形状の筒部材３２１と、筒部材３２１に嵌合された中間部材３２２と、筒部材３２１と中間部材３２２との間に組み込まれた弁機構３２３と、中間部材３２２の先端に螺合される蓋部材３２４とを備える。
【００３４】
筒部材３２１は、底面に揮発性麻酔薬６を貯留部２１に流入させるための複数個の孔３２１ａが設けられており、上部には、中間部材３２２が嵌合される開口部３２１ｂが設けられている。筒部材３２１は、中間部材３２２とともに麻酔薬タンク２に組み込まれている。
【００３５】
中間部材３２２は、略円筒形状をしており、その内部には、挿入口３１が設けられている。挿入口３１内には、注入アダプタ５の弁機構５４（図６参照）を開放するための開放突起３２２ａと、揮発性麻酔薬６を筒部材３２１に流入させるための複数個の孔３２２ｂとが設けられている。また、中間部材３２２の外周面には、蓋部材３２４が嵌合される雄ねじ３２２ｃと、麻酔薬タンク２との間に密閉性を付与するためのＯリング３２２ｄが嵌め込まれた溝部３２２ｅとが設けられている。中間部材３２２の下部には、筒部材３２１の開口部３２１ｂに嵌合される嵌合部３２２ｆが設けられている。嵌合部３２２ｆの外周面には、筒部材３２１との間に密閉性を付与するためのＯリング３２２ｇが嵌め込まれた溝部３２２ｈが設けられている。
【００３６】
弁機構３２３は、弁本体３２３ａと、弁本体３２３ａの上面に立設されたピン３２３ｂと、弁本体３２３ａを中間部材３２２に押しつけるバネ３２３ｃと、嵌合部３２２ｆの内周面との間に密閉性を付与するためのＯリング３２３ｄとを備える。弁本体３２３ａは、略円盤形状をしており、上面の端縁は嵌合部３２２ｆの内周面に合わせて面取りされ、Ｏリング３２３ｄが嵌め込まれている。ピン３２３ｂは、略円柱形状をしており、中間部材３２２の底面を貫通して挿入口３１内に突出されている。
【００３７】
蓋部材３２４は、上面に挿入口３１を開放するための開口部（開口）３２４ａが設けられた略円筒形状をしており、内周面には、中間部材３２２の雄ねじ３２２ｃが螺合される雌ねじ３２４ｂが設けられている。
【００３８】
識別部材３３は、挿入口３１の外側に配設され、挿入口３１の中心軸周りで回動自在とされており、挿入口３１に対向する位置に注入アダプタ５の挿入部５１が挿入可能な挿入孔３３ｈが設けられている。挿入孔３３ｈの内面には、注入アダプタ５に設けられたキー（第２の識別部）と連携して注入される揮発性麻酔薬６の種類を識別するキー溝（第１の識別部）３３１が設けられた円板状の部材である。すなわち、識別部材３３ａは、略円環形状をしており、中間部材３２２と蓋部材３２４との間に形成されるスペース内に収容され、挿入口３１の中心軸周りで回転自在となるように本体部３２に保持されており、キー溝３３１によって、麻酔薬タンク２に適合する揮発性麻酔薬６の種類を表している。図示している識別部材３３は、例えば、セボフルランに対応するものであり、キー溝３３１は、周方向において等間隔に５個が配置されている。なお、識別部材３３は、軽量化や回動時の滑り性向上、注入アダプタ５への傷防止などを図るため、例えばプラスチックなどの非金属材料で形成されている。
【００３９】
図４は、注入アダプタ５の外観形状を示す斜視図、図５は、注入アダプタ５の平面図、図６は、注入アダプタ５の構成を示す断面図である。注入アダプタ５は、麻酔薬容器４の口ネジ４１１に螺合される雌ねじ５２ａが内径部に設けられた略円筒形状の基部５２と、基部５２の上部に設けられた挿入部５１とを備える。基部５２の下端には、対応する揮発性麻酔薬６の種類を幅と配置間隔とによって表す切欠５２ｂが設けられている。麻酔薬容器４の口部４１の外周には、注入アダプタ５の切欠５２ｂに対応する幅と配置間隔で突起４２ａが設けられたリング状のカラー４２が取り付けられている。注入アダプタ５は、切欠５２ｂがカラー４２の突起４２ａと一致した場合に麻酔薬容器４に取り付けられるようになっているので、適合しない種類の揮発性麻酔薬６が収容された麻酔薬容器４への取り付けを防止することができる。
【００４０】
挿入部５１の先端側には、挿入口３１に挿入された際に、挿入口３１との間に密閉性を付与するためのＯリング５１１が取り付けられている。挿入部５１の根本側の外周面には、適合する揮発性麻酔薬６の種類を表す複数個のキー（第２の識別部）５１２が設けられている。図示している注入アダプタ５は、例えば、セボフルランに対応するものであり、キー５１２は、周方向において等間隔に５個が配置されている。キー５１２の端部には、挿入口３１に挿入された際に、キー溝３３１と当接して識別部材３３を回転させる斜面５１３が設けられている。この斜面５１３は、図４において、識別部材３３を反時計方向（第１の方向）に回転させる第１の斜面５１３ａと、時計方向（第２の方向）に回転させる第２の斜面５１３ｂとから構成されている。第１の斜面５１３ａと第２の斜面５１３ｂは、キー５１２の端部が略山型になるように連なって設けられている。
【００４１】
識別部材３３は、キー溝３３１と、挿入部５１のキー５１２の形状が一致する場合には、挿入部５１を挿入口３１に受け入れる。また、これとは逆に、キー溝３３１と、挿入部５１のキー５１２の形状が一致しない場合には、識別部材３３は、挿入口３１に対する挿入部５１の挿入を阻止する。
【００４２】
挿入部５１および基部５２内には、揮発性麻酔薬６の通路５３が設けられている。通路５３内には、通路５３を開閉する弁機構５４が設けられている。弁機構５４は、弁本体５４１、バネ５４２およびバネ受け部材５４３によって構成されている。弁本体５４１は、通路５３内に設けられた段差部５３１に当接する円盤部５４１ａと、この円盤部５４１ａの下部に設けられたガイド棒５４１ｂとを備えており、通路５３内に挿通されている。バネ５４２は、ガイド棒５４１ｂの外周に配置されて、弁本体５４１を段差部５３１に押しつけている。バネ受け部材５４３は、基部５２内に固定されてバネ５４２の下端を受けるとともに、ガイド棒５４１ｂをガイドする。
【００４３】
弁機構３２３は、通常時はバネ３２３ｃの付勢によって弁本体３２３ａが中間部材３２２に密接することにより、挿入口３１を閉鎖している。また、弁機構５４も、通常時はバネ５４２の付勢によって弁本体５４１が段差部５３１に密接することにより、通路５３を閉鎖している。弁機構３２３は、図７に示すように、挿入口３１に注入アダプタ５の挿入部５１が挿入され、挿入部５１によってピン３２３ｂが押されると、弁本体３２３ａがバネ３２３ｃの付勢に抗して軸方向に移動し、挿入口３１を開放する。また、弁機構５４は、挿入部５１が挿入口３１に挿入されて、通路５３内に挿入された開放突起３２２ａによって弁本体５４１が押されると、弁本体５４１はバネ５４２の付勢に抗して軸方向に移動し、通路５３を開放する。
【００４４】
図８は、セボフルラン以外の揮発性麻酔薬に対応した注入アダプタ５Ａと、識別部材３３Ａの平面図である。同図（Ａ）に示す注入アダプタ５Ａおよび識別部材３３Ａは、３個のキー５１２Ａおよびキー溝３３１Ａを備えており、例えばイソフルランに対応している。また、同図（Ｂ）に示す注入アダプタ５Ｂおよび識別部材３３Ｂは、４個のキー５１２Ｂおよびキー溝３３１Ｂを備えており、例えばエンフルランに対応している。同様に、同図（Ｃ）に示す注入アダプタ５Ｃおよび識別部材３３Ｃは、６個のキー５１２Ｃおよびキー溝３３１Ｃを備えており、例えばハロタンに対応している。キー５１２およびキー溝３３１の幅は、挿入部５１が挿入口３１に挿入された際に、識別部材３３が斜面５１３によってすぐに回転するようにするために、個数に応じて幅が変えられている。すなわち、キー５１２およびキー溝３３１の幅は、個数が多くなるほど狭くなり、個数が少なくなるほど広くなる。このように、注入アダプタ５および識別部材３３は、キー５１２およびキー溝３３１の個数および幅によって複数種類の揮発性麻酔薬６に対応付けされている。
【００４５】
次に、上記実施の形態の作用について説明する。麻酔薬タンク２に揮発性麻酔薬６を注入する際には、麻酔薬タンク２に適合する揮発性麻酔薬６が収容された麻酔薬容器４に、適合する注入アダプタ５が取り付けられる。注入アダプタ５の基部５２と、麻酔薬容器４のカラー４２には、適合する揮発性麻酔薬６の種類を幅と配置間隔とによって表す切欠５２ｂおよび突起４２ａが設けられており、注入アダプタ５は、切欠５２ｂと突起４２ａとが一致した場合に麻酔薬容器４に取り付けられるようになっているので、取り付けミスを防止することができる。
【００４６】
次いで、麻酔薬容器４を保持して、誤注入防止部３の挿入口３１に注入アダプタ５の挿入部５１を挿入する。図９に示すように、挿入部５１の外周面に設けられたキー５１２は、挿入口３１内の識別部材３３に当接し、キー溝（第１の識別部）３３１がキー（第２の識別部）５１２によって押圧された場合に、この押圧に応じてキー溝３３１がキー５１２に合う位置まで回動して、注入アダプタ５の挿入部５１を受け入れる。すなわち、キー５１２の斜面５１３によってキー溝３３１を押圧して識別部材３３を時計方向もしくは反時計方向に回転させる。
【００４７】
識別部材３３は、キー溝３３１と、挿入部５１のキー５１２の形状が一致する場合には、挿入部５１を挿入口３１に受け入れる。これにより、挿入口３１の弁機構３２３と、挿入部５１の弁機構５４が開くので、麻酔薬容器４内の揮発性麻酔薬６は、誤注入防止部３を介して貯留部２１に流入する。
【００４８】
また、これとは逆に、キー溝３３１と、挿入部５１のキー５１２の形状が一致しない場合には、識別部材３３は、挿入口３１に対する挿入部５１の挿入を阻止するので、適合しない揮発性麻酔薬６が注入されることによる揮発性麻酔薬６の混合を防止することができる。
【００４９】
以上で説明したように、本実施の形態の麻酔薬誤注入防止システム１によれば、注入アダプタ５の挿入部５１を誤注入防止部３の挿入口３１に挿入した場合に、挿入部５１のキー５１２の斜面５１３によって識別部材３３が回転するので、麻酔薬容器４を回転させなくても挿入部５１を挿入口３１の奥まで挿入することができる。これにより、注入アダプタ５の取り付けが緩むこともなくなるので、揮発性麻酔薬６の漏れを防止することができる。また、注入アダプタ５を挿入口３１に挿入する際に、挿入部５１のキー５１２と挿入口３１のキー溝３３１とを位置合わせする必要がないので、揮発性麻酔薬６の注入作業が簡単になる。
【００５０】
また、識別部材３３は、挿入口３１の外側に配設されており、この識別部材３３から揮発性麻酔薬６の漏れは発生しないので、Ｏリングなどのシール部品や、漏れの発生しない高精度な加工などを省略することが可能である。さらに、識別部材３３は、挿入口３１の外側に配設して蓋部材３２４で押さえているだけなので、交換が簡単である。そのため、麻酔薬タンク２が揮発性麻酔薬６の種類に応じて複数種類ある場合であっても、各麻酔薬タンク２では識別部材３３のみを変更することで対応が可能となる。したがって、複数種類の麻酔薬タンク２を、ローコストかつ簡単に作ることができる。
【００５１】
また、挿入部５１のキー５１２に、識別部材３３を反時計方向（第１の方向）に回転させる第１の斜面５１３ａと、時計方向（第２の方向）に回転させる第２の斜面５１３ｂとを設けたので、１方向だけの斜面に沿って回転する場合に比べて識別部材３３の回転量が少なくなる。したがって、識別部材３３の回転によるキー５１２とキー溝３３１との位置合わせが短時間で行なわれるようになるので、注入作業が迅速に行なえるようになる。
【００５２】
さらに、キー５１２およびキー溝３３１は、挿入部５１または挿入口３１の中心軸周りに複数個を等間隔で配置するようにしたので、注入アダプタ５のキー５１２がどのような位置で挿入口３１に挿入された場合でも、識別部材３３の位置合わせが迅速に行なわれるようになる。
【００５３】
（実施の形態２）
次に、本発明の第２の実施の形態について説明する。なお、第１の実施の形態と同部品については、同符号を用いて詳しい説明は省略する。図１０に示す注入アダプタ５Ｄおよび識別部材３３Ｄは、第１の実施の形態とは逆に、挿入部５１に複数個のキー溝５１４Ｄ設け、識別部材３３Ｄに複数個のキー３３２Ｄを設けている。また、識別部材３３Ｄのキー３３２Ｄには、第１の斜面３３３ａおよび第２の斜面３３３ｂからなる斜面３３３を設けている。このように、キーとキー溝とを設ける部位を逆にしても、第１の実施の形態と同様の作用・効果を得ることができる。
【００５４】
この実施の形態によれば、挿入部５１および挿入口３１の形状などの各種条件に応じてキーとキー溝とをどちらに設けるかを任意に選択することができる。したがって、注入アダプタ５および識別部材３３の設計自由度が向上し、より注入作業がしやすい麻酔薬誤注入防止システム１を提供することができる。
【００５５】
上記第１および第２の実施の形態では、キーおよびキー溝を周方向に等間隔で複数個ずつ設けるようにしたが、図１１に示す注入アダプタ５Ｅおよび識別部材３３Ｅのように、キー５１２Ｅおよびキー溝３３１Ｅを１個ずつ設け、このキー５１２Ｅおよびキー溝３１１Ｅの幅寸法によって揮発性麻酔薬６の種類を識別するようにしてもよい。この場合、キー５１２Ｅに対してキー溝３１１Ｅの位置合わせが行なわれやすくするために、例えば、識別部材３３Ｅの外周縁に切欠３３４Ｅを形成し、この切欠３３４Ｅ内に中間部材３２２の端面に設けた規制ピン３２２ｊを挿入させ、識別部材３３Ｅの回転範囲に規制を加えるのが好ましい。
【００５６】
（実施の形態３）
図１２は、この実施の形態に係る麻酔薬タンクの構成を示している。この実施の形態では、揮発性麻酔薬が注入される挿入口７１と、挿入口７１から注入された揮発性麻酔薬を貯留する貯留部７２とを備える麻酔薬タンク７であって、例えば配管などで麻酔薬気化器に接続される点で実施の形態１と異なり、実施の形態１と同等の構成については、同一符号を付することでその説明を省略する。
【００５７】
麻酔薬タンク７は、挿入口７１と貯留部７２との間に、両者に連通された連通路７３が設けられており、この連通路７３内に、実施の形態１の誤注入防止部３の識別部材３３および蓋部材３２４以外に相当する構成が組み込まれている。
【００５８】
挿入口７１は、麻酔薬タンク７の上面から傾斜するように立ち上げられた注入パネル部７４に斜め上方を向くように設けられている。注入パネル部７４には、挿入口７１の外周に識別部材３３が収容される円形の凹部７５が設けられている。凹部７５の深さは、収容した識別部材３３が抵抗なく回動でき、かつ識別部材３３がガタつかないように、識別部材３３の厚みよりも僅かに長くされている。
【００５９】
注入パネル部７４の上面には、矩形板状の蓋部材８が、例えば四隅に挿通された４本のネジ８１で装着される。注入部パネル部７４には、ネジ８１が螺合されるネジ孔７６が設けられている。蓋部材８には、挿入口７１と、識別部材３３の挿入孔３３ｈとに対向する位置に、注入アダプタ５の挿入部５１が挿入可能な開口８２が設けられており、識別部材３３の上から、識別部材３３が外れないように外周部を押さえる。
【００６０】
この麻酔薬タンク７において、蓋部材８の開口８２から挿入孔３３ｈおよび挿入口７１に注入アダプタ５の挿入部５１が挿入されると、識別部材３３のキー溝３３１と挿入部５１のキー５１２との連携によって、揮発性麻酔薬の誤注入が防止される。
【００６１】
以上で説明したように、本実施の形態においても、注入アダプタ５の緩みを防ぎながら揮発性麻酔薬を注入することができる。また、注入アダプタ５の挿入時の位置合わせも不要なので、注入作業が簡単でなる。さらに、識別部材３３は、挿入口７１の外側に配設されており、この識別部材３３から揮発性麻酔薬の漏れは発生しないので、Ｏリングなどのシール部品や、漏れの発生しない高精度な加工などを省略することが可能である。さらに、識別部材３３は、挿入口７１の外側に配設して蓋部材８で押さえているだけなので、交換が簡単である。そのため、麻酔薬タンク７が揮発性麻酔薬の種類に応じて複数種類ある場合であっても、各麻酔薬タンク７では識別部材３３のみを変更することで対応が可能となる。したがって、複数種類の麻酔薬タンク７を、非常にローコストかつ簡単に作ることができる。
【００６２】
以上、この発明の各実施の形態を詳述してきたが、具体的な構成はこの実施の形態に限られるものではなく、この発明の要旨を逸脱しない範囲の設計の変更等があっても、この発明に含まれる。例えば、特許文献１〜３のような構成を有する麻酔薬誤注入防止システムに、本発明を適用することも可能である。また、上記各実施の形態では、キーに斜面を設けるようにしたが、キーとキー溝との両方に斜面を設けておき、斜面同士を当接させて識別部材を回転させるようにしてもよい。これによれば、斜面同士が摺接することになるので、識別部材の回転がよりスムーズに行われるようになる。
【符号の説明】
【００６３】
１      麻酔薬誤注入防止システム
２      麻酔薬タンク
２１    貯留部
３      誤注入防止部
３１    挿入口
３３    識別部材
３３１  キー溝（第１の識別部）
４      麻酔薬容器
５      注入アダプタ
５１    挿入部
６      揮発性麻酔薬
５１    挿入部
５１２  キー（第２の識別部）
５１３  斜面
７      麻酔薬タンク
７１    挿入口
７２    貯留部
８      蓋部材
【図１】
2018139953.tif 000003
【図２】
2018139953.tif 000004
【図３】
2018139953.tif 000005
【図４】
2018139953.tif 000006
【図５】
2018139953.tif 000007
【図６】
2018139953.tif 000008
【図７】
2018139953.tif 000009
【図８】
2018139953.tif 000010
【図９】
2018139953.tif 000011
【図１０】
2018139953.tif 000012
【図１１】
2018139953.tif 000013
【図１２】
2018139953.tif 000014